(57)【要約】【課題】建物内空間での騒音がドアの共振により増大されるといった不都合を抑制する。【解決手段】仕切壁２２に形成された出入口２５にはドア２６が設けられている。ドア２６は開き戸となっており、ヒンジ４２により枠体４１に対して回動可能に軸支されている。ドア２６にはラッチ４５が設けられており、ラッチ４５が枠体４１に対して係合することによりドア２６の開放が阻止される。ドア２６には所定の重量を有する重り部材５１が設けられており、重り部材５１によりドア２６の重量バランスがドア面方向において不均衡とされている。重り部材５１はドア２６の回動先端側であって上端付近に設けられている。【選択図】図１
2011149175.tif 000002
【特許請求の範囲】
【請求項１】
建物躯体側のドア支持体に支持されることにより建物に取り付けられているドアであって、
前記ドア支持体により支持される被支持部から最も離れたドア端部付近に重り部材が設けられていることを特徴とするドア。
【請求項２】
前記ドア支持体に対して軸支手段により回動可能に支持されるドアであり、前記軸支手段が設けられたドア端部とは反対側の端部付近に前記重り部材が設けられていることを特徴とする請求項１に記載のドア。
【請求項３】
前記軸支手段が設けられたドア端部とは反対側の端部に、前記ドア支持体に係止されるラッチ手段が設けられており、該ラッチ手段の係止により開放が阻止されるドアであり、
前記ラッチ手段が設けられたドア端部においてドア上端又は下端付近に前記重り部材が設けられていることを特徴とする請求項２に記載のドア。
【請求項４】
前記重り部材は、前記被支持部に対して近づく又は離れる方向に位置変更可能であることを特徴とする請求項１乃至３のいずれか１項に記載のドア。
【請求項５】
前記重り部材は、スライド移動することで位置変更可能であり、
前記重り部材のスライド移動の方向を案内する案内部が設けられていることを特徴とする請求項４に記載のドア。
【請求項６】
前記重り部材は、前記ドア端部付近においてドア表面に設けられ、該ドア端部付近を保護する保護部材であることを特徴とする請求項１乃至５のいずれか１項に記載のドア。
【請求項７】
複数階建ての建物であって、
請求項１乃至６のいずれか１項に記載のドアが下階部分の出入口に対して設けられていることを特徴とする建物。
【発明の詳細な説明】
【技術分野】
【０００１】
本発明は、ドア及びそのドアが設けられている建物に関するものである。
【背景技術】
【０００２】
住宅等の建物において、建物内にて発生した騒音を低減させる技術が提案されている。例えば特許文献１には、部屋の出入口に防音ドアが設けられており、防音ドアには共鳴吸音気口が組み込まれている構成が記載されている。この構成によれば、建物内において人が跳びはねることなどにより重量源床衝撃音が発生した場合に、その重量源床衝撃音のうち空気中を伝わる低周波数帯域の騒音が防音ドアにより低減される。したがって、例えば廊下において発生した低周波数帯域の騒音が防音ドアを通じて部屋に伝わることを抑制できる。
【先行技術文献】
【特許文献】
【０００３】
【特許文献１】特開平１０−１０２９３６号公報
【発明の概要】
【発明が解決しようとする課題】
【０００４】
しかしながら、上記特許文献１に記載された構成では、仕切壁から出入口のドアに騒音が伝わることが想定されていない。したがって、建物内空間で発生した騒音が間仕切壁に伝わった場合、騒音により出入口のドアが振動してその振動によって騒音が増大してしまうことが懸念される。
【０００５】
本発明は、建物内空間での騒音がドアの共振により増大されるといった不都合を抑制することを主たる目的とする。
【課題を解決するための手段】
【０００６】
上記課題を解決するために、第１の発明は、建物躯体側のドア支持体に支持されることにより建物に取り付けられているドアであって、前記ドア支持体により支持される被支持部から最も離れたドア端部付近に重り部材が設けられていることを特徴とする。
【０００７】
建物では、建物内を人が移動したり掃除等の作業をしたりすると騒音が発生し、その騒音が仕切壁等を通じて他の部屋のドアに伝わる。この場合、騒音伝播先の部屋において、騒音によるドア振動の周波数とドア自身の固有振動数とが一致するとドアが共振し、騒音がよりうるさく感じられる。
【０００８】
この点に着目し、第１の発明では、ドア支持体により支持される複数の被支持部から最も離れたドア端部付近に重り部材を設け、これにより、被支持部の付近では比較的軽く且つ重り部材の付近では比較的重くなるようにしてドアの重量がドア面方向（ドアの板面が延びる方向）において不均衡になるようにした。このように、ドアの重量をドア面方向において不均衡とすることにより、ドア自身の固有振動数を高周波数側又は低周波数側にシフトさせることができるため、他の部屋の騒音がドアの共振により増大されるといった不都合を抑制できる。
【０００９】
第２の発明では、第１の発明において、前記ドア支持体に対して軸支手段により回動可能に支持されるドアであり、前記軸支手段が設けられたドア端部とは反対側の端部付近に前記重り部材が設けられている。
【００１０】
ドアが開き戸として軸支手段により軸支されている構成において、建物躯体側からドアに騒音が伝わる場合、軸支手段が騒音の伝播路になる。このような開き戸において、被支持部から最も離れたドア端部付近に重り部材が設けられている構成とすることにより、他の部屋の騒音がドアの共振により増大されるといった不都合を抑制することができる。
【００１１】
第３の発明では、第２の発明において、前記軸支手段が設けられたドア端部とは反対側の端部に、前記ドア支持体に係止されるラッチ手段が設けられており、該ラッチ手段の係止により開放が阻止されるドアであり、前記ラッチ手段が設けられたドア端部においてドア上端又は下端付近に前記重り部材が設けられている。
【００１２】
ドアが開き戸として軸支手段により軸支され且つラッチ手段により開放が阻止される構成において、建物躯体側からドアに騒音が伝わる場合、軸支手段及びラッチ手段が騒音の伝播路になる。したがって、第３の発明のように、ラッチ手段が設けられているドアについて、重り部材の設置位置が軸支手段及びラッチ手段のいずれからも最も離れたドア端部付近とされることは、開き戸の共振を抑制する構成として好ましい。
【００１３】
第４の発明では、第１乃至第３のいずれかの発明において、前記重り部材は、前記被支持部に対して近づく又は離れる方向に位置変更可能である。
【００１４】
重り部材によりドアの重量をドア面方向において不均衡にする構成において、ドアの固有振動数が高周波数側又は低周波数側にシフトする度合いは重り部材と被支持部との離間距離に依存している。この点、第４の発明によれば、重り部材を被支持部に対して近づけたり遠ざけたりすることができるため、騒音の振動数に応じてドアの固有振動数を適宜シフトさせることができる。つまり、ドアの共振を抑制できる騒音の振動数域を広げることができる。
【００１５】
第５の発明では、第４の発明において、前記重り部材は、スライド移動することで位置変更可能であり、前記重り部材のスライド移動の方向を案内する案内部が設けられている。
【００１６】
第５の発明によれば、単に重り部材をスライド移動させることによりドアの重量をドア面方向において不均衡にすることができる。この場合、ドアの固有振動数を適宜シフトさせる際に重り部材をドア本体から取り外す必要がないため、ドアの共振を抑制できる騒音の振動数域を広げることが容易となる。
【００１７】
第６の発明では、第１乃至第５のいずれかの発明において、前記重り部材は、前記ドア端部付近においてドア表面に設けられ、該ドア端部付近を保護する保護部材である。
【００１８】
第６の発明によれば、保護部材によりドア端部付近の破損や変形などが抑制されている構成において、重り部材を保護部材とは別の部材として設ける必要がない。つまり、重り部材及び保護部材の機能をドアに対して容易に付与することができる。
【００１９】
第７の発明は、複数階建ての建物であって、第１乃至６のいずれかの発明に記載のドアが下階部分の出入口に対して設けられていることを特徴とする。
【００２０】
複数階建ての建物においては、上階部分から下階部分に騒音が伝わりやすい。この点、第７の発明によれば、上階部分にて発生した騒音が下階部分のドアの共振により増大されるといった不都合を抑制できる。
【図面の簡単な説明】
【００２１】
【図１】本実施形態におけるドア周辺の正面図。
【図２】建物の概略断面を示す図。
【図３】ドアの振動周波数特定について説明するための図。
【図４】重り部材の設置位置を示す図。
【図５】ドアにおける各設置位置での振動周波数特性の計測結果を示す図。
【図６】ドアにおける各設置位置での振動周波数特性の計測結果を示す図。
【図７】別のドアの正面図。
【発明を実施するための形態】
【００２２】
以下、本発明を具体化した一実施形態を図面に基づいて説明する。図１はドア２６周辺の正面図、図２は建物１０の概略断面を示す図である。
【００２３】
図２に示すように、住宅等の建物１０は一階部分１１及び二階部分１２を有している。下階部分としての一階部分１１には建物内空間としての一階居室１９が複数設けられており、それら一階居室１９はリビングやダイニングなどとなっている。隣り合う一階居室１９は建物躯体としての仕切壁２２により仕切られている。仕切壁２２には開口部としての出入口２５が形成されており、出入口２５には開閉可能な開き戸としてのドア２６が設けられている。二階部分１２には建物内空間としての二階居室３１と二階廊下３２とが設けられており、二階居室３１は寝室などとなっている。この場合、一階部分１１の出入口２５（ドア２６）は二階部分１２の二階廊下３２の下方に存在している。
【００２４】
図１に示すように、ドア２６は開閉体としてのドア本体３５を有しており、ドア本体３５は矩形板状に形成されている。ドア本体３５にはガラス板３６が設けられており、ガラス板３６の板面はドア本体３５の板面と平行に延びている。ガラス板３６は縦長形状となっており、横並びに複数配置されている。なお、ガラス板３６は、ドア本体３５に形成された貫通孔に対して嵌め込まれた状態でドア本体３５に対して固定されている。
【００２５】
出入口２５にはドア２６を支持するための枠体４１が設けられており、ドア本体３５は軸支手段としてのヒンジ４２を介して枠体４１に取り付けられている。ヒンジ４２はドア本体３５を回動可能に軸支する蝶番となっており、ドア本体３５の回動軸は鉛直方向に延びている。ヒンジ４２は複数個所においてドア本体３５を軸支しており、ドア本体３５の回動基端側の端部において上下に並べて配置されている。ここでは、ドア本体３５の上部、中部及び下部のそれぞれに配置されている。この場合、ドア本体３５の外周面と枠体４１の内周面との間には隙間が形成されており、ドア本体３５の開閉に伴ってドア本体３５が枠体４１と接触しないようになっている。なお、前記隙間を埋めるゴムなどの隙間埋め材がドア本体３５や枠体４１に取り付けられていてもよい。
【００２６】
ちなみに、枠体４１及びヒンジ４２がドア支持体に相当するとともに、ドア２６においてヒンジ４２により支持されている部分が被支持部に相当する。
【００２７】
ドア本体３５には、ドア本体３５を閉鎖状態で保持するラッチ手段としてのラッチ４５が設けられている。ラッチ４５は、枠体４１に対して係止される係止部となっており、枠体４１と当接することでドア本体３５が閉鎖状態から開放されることを規制する。具体的には、ラッチ４５はドア本体３５の側面から出没可能となっており、枠体４１の内周面には、突出状態にあるラッチ４５の係止が可能な被係止部が形成されている。ラッチ４５は通常は突出状態にあり、被係止部と当接することでドア本体３５の開放を規制している。また、ドア本体３５には回動可能なドアノブ４６が設けられており、ラッチ４５はドアノブ４６の回動に伴って出没する。
【００２８】
ラッチ４５は、ドア本体３５の回動先端側（ヒンジ４２とは反対側の側端）において中央の下寄りに設けられている。この場合、ラッチ４５とドア本体３５の上端との離間距離は下端との離間距離より大きくなっている。
【００２９】
ここで、二階部分１２において人が二階廊下３２を歩行したり二階居室３１の掃除等の作業をしたりするなどして音（衝撃音など）が発生した場合、その音が二階部分１２の床や一階部分１１の天井、仕切壁２２などを通じてドア２６に伝わり、ドア２６にて音の大きさが増幅されるおそれがある。これは、音などの振動がドア２６に加えられた場合、ドア２６が振動し、その振動数とドア２６の固有振動数との差異が小さいと共振が生じるためである。つまり、ドア２６に伝わった音にドア２６が共振すると音の大きさが増幅されるためである。
【００３０】
そこで、本実施形態では、ドア２６のヒンジ４２及びラッチ４５のいずれからも最も離間した部分付近に重りを取り付けてドア面方向（ドア本体３５の板面が延びている方向）に重量不均衡を付与することにより、ドア２６の固有振動数を高周波数側又は低周波数側にシフトさせて、ドア２６での振動の増幅を抑制している。これにより、ドア２６にて増幅された振動や音により一階居室１９の住人等に対して不快感を与えないようにしている。
【００３１】
ドア２６において、ドア本体３５には重りとしての重り部材５１が設けられている。重り部材５１はドア本体３５において回動先端側の上部においてドア本体３５に内蔵されている。この場合、ドア本体３５においてヒンジ４２やラッチ４５付近は比較的軽く、回動先端側の上端付近は比較的重くなっており、それにより、ドア本体３５の重量バランスはドア面方向において不均衡となっている。具体的には、ドア本体３５において回動先端側の上部には中空部分５２が設けられており、重り部材５１は中空部分５２に配置されている。中空部分５２は、ドア本体３５の板面に沿って延びており、水平方向及び鉛直方向の寸法は重り部材５１の水平方向及び鉛直方向の寸法よりも大きくなっている。
【００３２】
重り部材５１の重量は例えば２．４ｋｇ程度となっており、ドア本体３５の重量が１０ｋｇ程度であればドア本体３５の重量に対する重り部材５１の重量の比は０．２４程度となっている。
【００３３】
重り部材５１は中空部分５２をドア本体３５の板面に沿って水平方向及び鉛直方向に移動することが可能となっている。ドア本体３５の板面には中空部分５２に水平方向及び鉛直方向に延びる溝部５８が形成されており、その溝部５８は中空部分５２をドア本体３５の表側に開放している。重り部材５１には溝部５８を通じてドア本体３５の表側に突出しているつまみ部５９が設けられており、つまみ部５９は溝部５８に沿って鉛直方向及び水平方向に移動可能となっている。この場合、重り部材５１はつまみ部５９とともに溝部５８に沿って鉛直方向及び水平方向に移動することになる。ここで、溝部５８は重り部材５１の移動方向を案内する案内部に相当する。
【００３４】
なお、重り部材５１には、ドア本体３５の表側に露出したストッパ（図示略）が設けられており、ストッパを固定状態にすることにより中空部分５２において重り部材５１が位置保持される。
【００３５】
ここで、重り部材５１の有無の違いによるドア２６の振動周波数特性の差について図３を用いて説明する。図３において（ａ）はドア単体の振動周波数特性を示し、（ｂ）は上記のごとくドア上部に重り部材５１を設けた場合の振動周波数特性を示している。なお、図３（ｂ）は、ドア２６の上端隅角部に２．４ｋｇの重り部材５１を設けた場合の計測結果を示している。
【００３６】
図３（ａ）では、約６３Ｈｚ付近の周波数域で振動ピークが現れ、この周波数（６３Ｈｚ）がドア単体の固有振動数となっている。これは、ドア単体の場合には約６３Ｈｚ付近でドアの共振現象が生じやすいことを示している。これに対し、図３（ｂ）では、６３Ｈｚ付近（ドア単体の固有振動数）での振動レベルが減少し、振動波形が全体として低周波数側に移行したものとなっている。これにより、ドアの共振現象を抑制できるものとなっている。
【００３７】
また、重り部材５１の重量や設置位置（取り付け位置）に応じてドア本体３５の振動周波数特性の変化に差が生じる。ここでは、重り部材５１の重量や設置位置の設定について、図４〜図６を参照しつつ説明する。図４は重り部材５１の設置位置を示す図、図５及び図６は、図４における各設置位置での振動周波数特性の計測結果を示す図である。
【００３８】
図４では、重り部材５１の設置位置として、ドア本体３５においてＡ〜Ｄの位置を想定している。設置位置Ａはドア本体３５の回動先端側における上端付近、設置位置Ｂはドア本体３５の回動先端側における中央付近、設置位置Ｃはドア本体３５における回動先端側と回動基端側との間の上端付近、設置位置Ｄはドア本体３５における回動先端側と回動基端側との間の中央付近となっている。なお、設置位置Ｂ，Ｄはラッチ４５よりも上方位置となっている。
【００３９】
図５（ａ），（ｂ）及び図６（ａ），（ｂ）は、それぞれ重り設置位置をＡ〜Ｄとした場合においてそれぞれ数種類の重り重量にて振動周波数特性を計測した結果を示している。例えば、設置位置Ａでは重り重量を０ｋｇ（ドア単体）、０．８ｋｇ、１．６ｋｇ、２．４ｋｇとし、設置位置Ｂでは０ｋｇ、０．８ｋｇ、１．６ｋｇ、４．０ｋｇとし、設置位置Ｃでは０ｋｇ、０．８ｋｇ、１．６ｋｇ、２．４ｋｇとし、設置位置Ｄでは０ｋｇ、０．８ｋｇ、２．４ｋｇ、４．８ｋｇとしている。
【００４０】
図５（ａ）では、重り重量を０．８ｋｇ、１．６ｋｇ、２．４ｋｇとした場合のいずれにおいても、振動周波数特性が、６３Ｈｚ付近（ドア単体の固有振動数）での振動レベルが減少し、かつ、振動波形が全体として低周波数側に移行するものとなっている。また、各重り重量での振動周波数特性を比較すると、重り重量を大きくするほど、６３Ｈｚ付近での振動レベルの減少度合いが大きくなっている。
【００４１】
これに対し、図４（ｂ）及び図５（ａ），（ｂ）では、いずれもドア単体の振動周波数特性と比較して、６３Ｈｚ付近での振動レベルの減少や、振動波形の低周波数側への移行が生じていない。これは、重り重量を変更しても、振動波形が変わりないことを示している。
【００４２】
以上詳述した本実施形態によれば、以下の優れた効果が得られる。
【００４３】
ドア２６において、ヒンジ４２及びラッチ４５のいずれからも最も離間した位置に重り部材５１が設けられているため、ヒンジ４２及びラッチ４５の付近では比較的重く且つ重り部材５１の付近では比較的重くなるようにドア２６の重量がドア面方向において不均衡となっている。このように、ドア２６の重量をドア面方向において不均衡とすることにより、ドア２６の固有振動数を高周波数側又は低周波数側にシフトさせることができるため、二階部分１２の二階廊下３２や二階居室３１において発生した騒音が一階部分１１のドア２６に伝わったとしても、その騒音がドア２６の共振により増大されるといった不都合を抑制できる。
【００４４】
開き戸としてのドア２６においては、仕切壁２２からドア２６に騒音が伝わる場合、ヒンジ４２及びラッチ４５が騒音の伝播路になりやすい。したがって、ヒンジ４２及びラッチ４５が設けられている開き戸としてのドア２６に対して重り部材５１が設けられていることは、ドア２６の共振による騒音の増大を抑制する構成として好ましい。
【００４５】
ドア２６において、重り部材５１がヒンジ４２及びラッチ４５に近づく又は離れる方向に位置変更可能であるため、ドア面方向の重量バランスを変化させることができる。したがって、ドア２６に伝わる騒音に合わせて、ドア２６の固有振動数を高周波数側又は低周波数側に適宜シフトさせることができる。つまり、ドア２６の共振を抑制できる騒音の振動数域を広げることができる。
【００４６】
また、重り部材５１がドア面方向に沿ってスライド移動可能となっているため、ドア２６の重量バランスを容易に変更させることができる。つまり、ドア２６の固有振動数を騒音の振動数に一致しないように又は近似値とならないように容易にシフトさせることができる。
【００４７】
（他の実施形態）
本発明は上記実施形態の記載内容に限定されず、例えば次のように実施してもよい。
【００４８】
（１）スライド移動可能な引き戸としてのドアに重り部材５１が設けられていてもよい。例えば、出入口２５に対して取り付けられたレール部により引き戸の上端及び下端が支持されており、引き戸において上端及び下端から最も離間した側端部に重り部材５１が設けられている構成とする。この構成においては、レール部がドア支持体に相当し、引き戸の上端及び下端が被支持部に相当する。この構成でも、建物内空間の騒音が引き戸の共振により増大されるといった不都合を抑制できる。
【００４９】
また、ラッチ４５が設けられている引き戸については、重り部材５１が引き戸の上端、下端及びラッチ４５から最も離間した側端部に設けられていることが好ましい。
【００５０】
（２）重り部材は、ドア２６の表面に対して取り付けられていてもよい。例えば、図７に示すように、重り部材６１がドア２６の回動先端側（ヒンジ４２とは反対側）における上端及び下端にそれぞれ設けられている構成とする。この構成において、重り部材６１は鋼材により板状に形成されており、ドア２６の回動先端側における上端及び下端を保護する保護部材（プロテクタカバー）となっている。この場合、ドア２６において重り部材６１が取り付けられている部分は、破損や変形などが生じにくくなっている。なお、ドア２６においてドア本体３５はガラス板により形成されており、隅角部が重り部材６１により保護されることはドア２６の安全性を高める上で好ましい。
【００５１】
また、重り部材６１はドア２６の上端及び下端のいずれか一方の付近に設けられていてもよい。さらに、図７のようにドア２６にラッチ４５が設けられていない構成においては、重り部材６１はドア２６の回動先端側における中央付近に設けられていてもよい。
【００５２】
（３）重り部材５１はドア本体３５に対して着脱可能に取り付けられていてもよい。例えば、ドア本体３５に対して複数の重り部材５１が取り付け可能となっており、取り付ける重り部材５１の重さを変えることによりドア本体３５の重量バランスを変化させることができる構成とする。
【００５３】
（４）開き戸としてのドア２６は、上下に延びる回動軸がドア本体３５の上方及び下方にて軸支される構成であってもよい。この場合、回動軸を軸支する部材が軸支手段に相当する。
【００５４】
（５）開き戸としてのドア２６には施錠装置が設けられていてもよい。この場合、施錠装置は枠体４１に対して引っ掛かることでドア２６を施錠する引っ掛け部を有しており、その引っ掛け部がラッチ手段に相当する。
【００５５】
（６）重り部材５１は、複数階建ての建物において上階部分のドアを対象として設けられていてもよい。
【００５６】
（７）複数の建物ユニットが組み合わされることで構築され、一部の柱を設けないことで複数の建物ユニットにより連続した空間が形成されているユニット式建物において、その連続した空間に対して設けられたドアに重り部材５１が設けられていてもよい。この構成によれば、前記連続した空間を形成する壁体が、柱を有する壁体に比べて振動しやすいとしてもドアの共振による騒音の増大を抑制することができる。
【符号の説明】
【００５７】
１０…建物、１１…下階部分としての一階部分、２２…建物躯体としての仕切壁、２５…出入口、２６…ドア、４１…ドア支持体としての枠体、４２…ドア支持体及び軸支手段としてのヒンジ、４５…ドア支持体及びラッチ手段としてのラッチ、５１…重り部材、５８…案内部としての溝部。
【図１】
2011149175.tif 000003
【図２】
2011149175.tif 000004
【図３】
2011149175.tif 000005
【図４】
2011149175.tif 000006
【図５】
2011149175.tif 000007
【図６】
2011149175.tif 000008
【図７】
2011149175.tif 000009